(57)【要約】【課題】ファンの吸引力を用いて床面の汚水をホースやパイプを通してタンクに回収する真空掃除機の吸水用吸込み口において、吸込み口を前後に動かしながら洗浄後の汚水を吸引回収する際、凹凸のある床面でもきれいに且つ幅広く吸水できるようにすること。【解決手段】吸水用吸込み口底面の吸引開口部前後に設けたゴムブレード下端部側を内側に向け湾曲して形成し、前後のゴムブレードを床用吸込み口の左右端部で接近もしくは接触するようにし、床用吸込み口の左右端部で前後のゴムブレードがなす内角を４０度から１６０度の間とする。またパイプを操作して汚水を吸引回収するウォンドタイプの吸水用吸込み口では吸引開口部の前後に設けたゴムブレードの間に車輪を設け、前後のゴムブレードを吸水用吸込み口の左右端部で接近もしくは接触するようにし、前後のゴムブレードがなす内角を４０度から１６０度の間とする。【選択図】図３
2012024526.tif 000002
【特許請求の範囲】
【請求項１】
真空掃除機などに接続して床面の汚水をホースやパイプを通してタンクに回収する吸水用吸込み口において、前記吸水用吸込み口本体の底面に吸引開口部を設け、前記吸引開口部の前後にゴムブレードと左右に車輪を備えた前記吸水用吸込み口であって、前記前後のゴムブレードの間に前記車輪を設け、前記吸水用吸込み口の左右端部で前記前後のゴムブレードを接近もしくは接触するようにしたことを特徴とする吸水用吸込み口。
【請求項２】
真空掃除機などに接続して床面の汚水をホースやパイプを通してタンクに回収する吸水用吸込み口において、前記吸水用吸込み口本体の底面に吸引開口部を設け、前記吸引開口部の前後にゴムブレード備えた前記吸水用吸込み口であって、前記前後のゴムブレード下端部側を内側に向け湾曲して形成し、前記床用吸込み口の左右端部で前記前後のゴムブレードを接近もしくは接触するようにしたことを特徴とする吸水用吸込み口。
【請求項３】
吸水用吸込み口本体の底面に設けた吸引開口部の前後のゴムブレード下端部側を内側に向け湾曲して形成したことを特徴とする請求項１に記載の吸水用吸込み口。
【請求項４】
吸水用吸込み口本体の底面に設けた吸引開口部の前後にゴムブレードを設け、前記床用吸込み口の左右端部で前記前後のゴムブレード最端部のなす内角を４０度から１６０度の間としたことを特徴とする請求項１、請求項２、請求項３に記載の吸水用吸込み口。
【請求項５】
吸水用吸込み口本体の底面に設けた吸引開口部の左右に設けた車輪を前記吸水用吸込み口本体から容易に着脱できるようにしたことを特徴とする請求項１、請求項３、に記載の吸水用吸込み口。
【発明の詳細な説明】
【技術分野】
【０００１】本発明は、真空掃除機に接続する吸水用吸込み口であって、吸込み口を前後に動かし汚水を吸引回収するタイプの吸水用吸込み口に関するものである。
【背景技術】
【０００２】特許文献１のように、真空掃除機に蛇腹ホースを接続し手で操作するパイプの先端に吸水用吸込み口を取り付けるウォンドタイプの吸水用吸込み口では、底面に吸引開口部を設けその前後にゴムなどの可撓性を持つ平板状に形成したブレードを横長の吸込み口の前後に直線状に取り付け本体底面の左右端部に車輪を設けている。【０００３】以後、ゴムなどの可撓性を持つブレードをゴムブレードと表記する。
【先行技術文献】
【特許文献】
【特許文献１】特許第３５３６３４６号
【特許文献２】特開２００９−２６１４９０
【発明の概要】
【発明が解決しようとする課題】
【０００４】近年、病院や老健施設などの建築物の床面には利用者の安全を考慮して、転倒防止のために小さな凹凸のある床材が多用されるようになっている。【０００５】また、商用施設でも、デザイン面及び安全面を考慮して各種凹凸模様を施した床材が多く施工されている。【０００６】上記のような状況の中で、従来の吸水用吸込み口では床面洗浄後の汚水の回収において満足のできるものがなかった。【０００７】そこで、凹凸のある床面であってもきれいに且つ幅広く汚水を吸引回収できるような吸水用吸込み口を提供すること。
【課題を解決するための手段】
【０００８】パイプ１６を手で操作するウォンドタイプでは従来のように吸込み口底面に車輪３１を少なくとも２個設ける。【０００９】ただし車輪３１は吸水用吸込み口の両端部から少し中央部寄りに設ける。【００１０】前後のゴムブレード１２が吸水用吸込み口の両端部で接近もしくは接触するようにする。【００１１】そうすることで両端部からの空気の流入を抑え、内部の負圧を上昇させることができる。【００１２】車輪３１を吸水用吸込み口の両端部から中央寄りに設けたことで、車輪３１はごみなどを噛みこみ易くなるため吸水用吸込み口本体から着脱容易な構造とし分解清掃が容易にできるようにする。【００１３】従来の吸水用吸込み口では前後のブレードの下端部側は平板状に形成したゴムブレードを横長の吸込み口の前後に取り付けていたが、本発明では前後のゴムブレード１２の下端部側１７を吸込み口内側に向けて湾曲させて形成し取り付ける。【００１４】前後のゴムブレード１２の外側の少なくとも下端部に凹凸を設ける。【００１５】前後のゴムブレード１２を吸水用吸込み口の両端部で接近もしくは接触するようにする時に前後のゴムブレード１２が互いなす内角を４０度から１６０度の間とする。【００１６】操作用のパイプ１６もしくは吸込み口のパイプ部に吸い付き調整用に開口１４を設け、その面積を調整するリング１５を取り付ける。
【発明の効果】
【００１７】吸水用吸込み口底面に設けた車輪３１を中央寄りにして、前後のゴムブレード１２を吸込み口左右端部で接近もしくは接触させたことで、両端部からの吸込み口内部への空気の流入を減らせ、吸込み口内部の負圧を保つことができた。【００１８】そのため、床面の凹部に進行方向に対して後方のゴムブレードが届かない個所が発生しても、吸込み口外部から内部に向けての空気の流速が大きいため、空気の流れとともに汚水が流入して吸い残しが減少した。【００１９】また、ゴムブレードの先端部側１７を吸込み口内側に向けて湾曲させていることで、進行方向に対して後方のゴムブレードでは平板状に形成したゴムブレードに比べ床面の凹部により食い込み、吸い残しを減少させた。【００２０】上記の結果、従来は４００ｍｍ程度であった吸込み口の幅を９００ｍｍ程度迄でも吸い残しの少ない吸水用吸込み口を得ることができた。
【図面の簡単な説明】
【００２１】
【図１】は側面図
【図２】は平面図
【図３】は底面図
【図４】は図２のＡ〜Ｂ断面図
【図５】は図２のＣ〜Ｄ断面図
【図６】は前後ゴムブレードのなす内角が左右最端部で９０度のときの前後ブゴムレードの動き説明図
【図７】は前後ゴムブレードのなす内角が左右最端部で３０度のときの前後ゴムブレードの動き説明図
【図８】は外付け車輪タイプ吸込み口の平面図
【発明を実施するための形態】
【００２２】前後のゴムブレード１２を吸込み口フレーム１１と底板３５の間に設置し、吸込み口フレーム１１と底板３５を手締めボルト２１で固定する。
【００２３】底板３５の中央部には吸引開口部３３を、その左右には車輪３１取り付け用開口部３７を設ける。
【００２４】車輪ホルダー４１左右のアーム３２の間に車輪３１を入れピン４２を挿入する。
【００２５】上記のようにセットした車輪ホルダーセットを底板開口部３７に入れて吸込み口フレーム１１上部から手締めボルト１３で車輪ホルダー４１を固定する。
【００２６】前後のゴムブレードは図３で示すように左右端部で接触または接近するような構造とする。
【００２７】このとき前後のゴムブレード左右最端部のなす内角が小さいと、進行方向前方のブレードの左右最端部下端が進行方向後方のブレード左右端部に接触し、後方ブレード左右端部が床面に届かなくなり汚水が残る。
【００２８】従来のような下端部を平板状にしたブレードでは、吸込み口左右端部で前後ブレード最端部のなす内角３６を概ね３０度以上にすることで前後ブレードの接触は発生しにくくなる。
【００２９】上記のようにしたことで、従来のように下端部を平板状にした前後のブレードであっても、従来の吸水用吸込み口よりも性能は向上する。
【００３０】前後のゴムブレードの下端部側１７を湾曲させて形成し、ともに吸込み口内側に向けて取り付けることで凹凸のある床面で吸込み口の進行方向後方のブレード下端が床面の凹部に食い込み汚水の取り残しが少なくなる。
【００３１】図６は前後ゴムブレード最端部のなす内角３６が約９０度であって、吸込み口が進行方向６３であるときの左右端部での前後ゴムブレードの動きを底面から見た図である。
【００３２】進行方向前方のブレード６４左右最端部の下端部６２は進行方向後方のブレード６５左右端部の下端部６１にまで到達しないので前後のブレード下端部は接触せず、進行方向後方のゴムブレード６５は確実に床面の汚水を掻き取ることができる。
【００３３】図７は前後ゴムブレード最端部のなす内角３６が約３０度であって、吸込み口が進行方向６３であるときの左右端部での前後ゴムブレードの動きを底面から見た図である。
【００３４】この場合は、進行方向前方のブレード６４左右最端部の下端部６２は進行方向後方のブレード６５左右端部の下端部６１にまで到達し前後のブレード下端部が接触することがあり、そうすると進行方向後方のゴムブレード６５は床面から離れ水を掻き取ることができない。
【００３５】本発明の下端部側を内側に湾曲させた前後ブレードでは、湾曲の仕方になどにもよるが前後ブレード最端部のなす内角３６を４０度以上にすることで前後ブレード左右端部の下端部が接触しにくくなる。
【００３６】また、前後ゴムブレード最端部のなす内角３６は１６０度以内で有れば、進行方向前方及び進行方向後方ゴムブレード左右端部ともに進行方向後方にスムーズに折れ曲がり、且つ左右端部での前後ゴムブレード下端部の接触も生じない。
【００３７】よって、吸込み口左右端部において前後ゴムブレード最端部のなす内角３６は４０度から１６０度の間とする。
【００３８】特許文献２のように、前後ゴムブレードの下端をブレード内側円弧の接戦に対して鋭角に傾斜して形成すると、小さな凹凸のある床面でより性能が向上する。
【００３９】吸込み口フレーム１１上部には操作用パイプ１６との接続部に開口部１４を設け開口面積を調整するためのリング１５を取り付ける。
【００４０】前後ゴムブレードの下端部外側に凸部１８もしくは凹部を設け横方向に点在させることで床面の汚水を確実に吸込み口内部に取り込むことができる。
【００４１】前後ゴムブレードの下端部外側に凸部１８を設け横方向に凹凸ができるようし、吸込み口の進行方向前方ゴムブレブレード下端部外側の凹部から汚水と空気が流入するときに、凹凸のある床面で吸込み口内部の負圧を保てるように吸込み口の進行方向前方ゴムブレード下端部外側の凹部の総面積を決めると、平らな床面では吸込み口が強く床面に吸付きパイプ１６の操作がしにくくなる。
【００４２】そこで、吸込み口フレーム１１上部には操作用パイプ１６との接続部に開口部１４を設け開口面積を調整するためのリング１５を取り付け、床面の状況によりリング１５で開口面積を調整し吸込み口が床面に吸付く力を調整できるようにした。
【００４３】掃除機本体からのアーム８１に吸水用吸込み口を取り付けて、掃除機本体を前後に移動して吸水作業をする、図７に示した固定タイプの吸込み口に関して述べる。
【００４４】パイプを操作して吸水作業を行うウォンドタイプでは常に吸込み口を前後させて用いるため車輪３１を吸込み口内部に設けているが、固定タイプの吸込み口では前進して用いることが多く、たまに後進して用いるため車輪８２を吸込み口の外側に設けてある。
【００４５】ウォンドタイプと同様に吸込み口フレーム８５と底板で前後のゴムブレードを固定する。
【００４６】底板開口部８７からホースとの接続パイプ８６及びホースを通り真空掃除機へと汚水を回収する。
【００４７】前後のゴムブレードの下端部側を湾曲させて形成し、ともに吸込み口内側に向けて取り付けることで進行方向後方のゴムブレード最下端部が床面の凹凸に追従するため汚水の取り残しが少なくなる。
【００４８】前後のゴムブレードは吸込み口の左右端部で接触または接近するような構造とする。
【００４９】吸込み口左右端部で前後ゴムブレード最端部のなす内角を４０度から１６０度の間とすることで前後ゴムブレード左右端部の下端部での接触はなく、汚水の取り残しは生じない。
【符号の説明】
【００５０】１１  吸込み口フレーム
１２  前後ブレード
１３  車輪ホルダー固定用手締めボルト
１４  開口部
１５  調整リング
１６  操作用パイプ
１７  ブレード下端部側
２１  底板固定用手締めボルト
３１  車輪
３２  車輪ホルダー左右のアーム
３３  底板の開口部
３４  前後ブレード下部の突起
３５  底板
３６  前後ゴムブレード最端部がなす内角
３７  車輪ホルダー取り付け用開口部
４１  車輪ホルダー
４２  ピン
６１  進行方向後方ブレード左右端部の下端部
６２  進行方向前方ブレード左右最端部の下端部
６３  吸込み口の進行方向
８１  掃除機本体からのアーム
８２  外付け車輪
８３  外付け車輪ホルダー
８４  手締めナット
８５  フレーム
８６  ホースとの接続パイプ
８７  底板の開口部
８８  ボルト
【図１】
2012024526.tif 000003
【図２】
2012024526.tif 000004
【図３】
2012024526.tif 000005
【図４】
2012024526.tif 000006
【図５】
2012024526.tif 000007
【図６】
2012024526.tif 000008
【図７】
2012024526.tif 000009
【図８】
2012024526.tif 000010